(57)【要約】【課題】シールド性に優れるシールドコネクタ、及びコネクタ付きシールドケーブルを提供する。【解決手段】シールドケーブルの端部に接続されるシールドコネクタであって、インナーハウジングと、インナーハウジング及びシールドケーブルの端部を収容するシールドシェルとを備え、インナーハウジングは凸部を有し、シールドシェルは、インナーハウジングが配置されるベースと、ベースに嵌合されるカバーとを有し、ベースは、底板部と、インナーハウジングの両側面を覆う一対のベース側板部と、インナーハウジングの凸部が係合される係合孔とを有し、カバーは、上板部と、ベース側板部の外側に重複して係合孔を覆う一対のカバー側板部とを有するシールドコネクタ。【選択図】図４
2019175865.tif 000002
【特許請求の範囲】
【請求項１】
少なくとも１本の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容し、前記シールドケーブルの端部が挿入されるケーブル挿入部を有するシールドシェルと、を備え、
前記インナーハウジングは、側面から突出する凸部を有し、
前記シールドシェルは、前記インナーハウジングが配置されるベースと、前記ベースに嵌合されるカバーとを有し、
前記ベースは、
前記インナーハウジングの下面を覆い、前記ケーブル挿入部に向かって延伸される底板部と、
前記インナーハウジングの両側面を覆うように前記底板部の両側から立設し、前記ケーブル挿入部に向かって一連に形成される一対のベース側板部と、
前記ベース側板部に形成され、前記インナーハウジングの前記凸部が係合される係合孔と、を有し、
前記カバーは、
前記インナーハウジングの上面を覆い、前記ケーブル挿入部に向かって延伸される上板部と、
前記ベース側板部の外側に重複して前記係合孔を覆うように前記上板部の両側から立設し、前記ケーブル挿入部に向かって一連に形成される一対のカバー側板部と、を有するシールドコネクタ。
【請求項２】
前記ベースが前記ベース側板部の外面から突出する突起を有し、
前記カバーの前記カバー側板部に前記ベースの前記突起が嵌合される嵌合孔が形成されている請求項１に記載のシールドコネクタ。
【請求項３】
前記ベース及び前記カバーの一方の前記ケーブル挿入部に、前記シールドケーブル側に突出し、前記シールド導体の端部に圧着される圧着片を有するバレル部を有し、他方の前記ケーブル挿入部には、前記バレル部に対向するように形成され、前記圧着片で押さえられて前記シールド導体の端部に接する突出片を有する請求項１又は請求項２に記載のシールドコネクタ。
【請求項４】
前記カバーが、前記カバー側板部の内面から突出し、上下方向に延びる突条部を有し、
前記インナーハウジングの側面に前記カバーの前記突条部が挿入される縦溝が形成されている請求項１〜請求項３のいずれか１項に記載のシールドコネクタ。
【請求項５】
少なくとも１本の通信線を含む電線と、前記電線の周囲を一括して被覆するシールド導体とを有するシールドケーブルと、前記シールドケーブルの端部に接続されるシールドコネクタとを備えるコネクタ付きシールドケーブルであって、
前記シールドコネクタが、請求項１〜請求項４のいずれか１項に記載のシールドコネクタであるコネクタ付きシールドケーブル。
【発明の詳細な説明】
【技術分野】
【０００１】
本発明は、シールドケーブルの端部に接続されるシールドコネクタ、及びこのシールドコネクタを備えるコネクタ付きシールドケーブルに関する。特に、シールド性に優れるシールドコネクタに関する。
【背景技術】
【０００２】
従来、自動車などの車両に搭載された電装品（ナビゲーション装置、ＥＴＣ（Ｅｌｅｃｔｒｏｎｉｃ  Ｔｏｌｌ  Ｃｏｌｌｅｃｔｉｏｎ）装置、モニタなど）と外部機器（カメラなど）との間や、電装品間の通信にシールドケーブルが利用されている。通信用のシールドケーブルは、一般に、通信線を含む電線と、電線の周囲を一括して被覆するシールド導体と、シールド導体の外周を被覆するシースとを有する。電線は、導体とその外周に絶縁被覆を有する。
【０００３】
通常、シールドケーブルの端末には、シールドコネクタが取り付けられている。シールドコネクタは、シースを除去してシールド導体から電線を露出させたシールドケーブルの端部に接続することで、シールドケーブルに取り付けられる。シールドコネクタは、電線の導体端部に接続される端子を保持するインナーハウジングと、インナーハウジング及びシールドケーブルの端部を収容するシールドシェルとを備える。シールドシェルには、シールド導体が電気的に接続される。
【０００４】
シールドコネクタに関する技術が特許文献１に開示されている。特許文献１に開示のシールドコネクタは、シールドシェルが上下に２分割された構造であり、インナーハウジングが配置されるベースと、インナーハウジング及びシールドケーブルの端部を覆うようにベース上に取り付けられるカバーとを備える。ベースは、長手方向に直交する横断面の形状が上向きに開口する］状であり、底板部と、底板部の両側に位置する一対の側板部とを有する。一方、カバーは、ベースの上方から全面的に覆う平板状のカバー板部を有する。
【先行技術文献】
【特許文献】
【０００５】
【特許文献１】特開２０１２−１８８９８号公報
【発明の概要】
【発明が解決しようとする課題】
【０００６】
シールドコネクタが接続されるシールドケーブルの端部では、電線の端部がシールド導体から露出することになるが、インナーハウジング及びシールドケーブルの端部はシールドシェルに収容される。そのため、インナーハウジング及び露出する電線の端部は、シールドシェルによって周囲が覆われることになる。シールドケーブルの端部において、シールドシェルで電磁波ノイズを遮蔽することにより、シールド性を確保して、外部からの電磁波ノイズの侵入や、電線から発生する電磁波ノイズの漏洩を抑制している。シールドコネクタにおけるシールド性を高める観点から、シールドシェルに隙間や開口が極力生じないようにして、インナーハウジング及び露出する電線の端部の周囲を全周に亘ってシールドシェルで覆うことが望まれる。
【０００７】
特許文献１に記載の従来のシールドコネクタでは、ベースの上方から覆うようにカバー（カバー板部）を取り付けることでシールドシェルを構成している。カバー（カバー板部）は平板状であるため、シールドシェルにおいて、カバー板部とベースの側板部との間に切れ目が形成され、シールドシェルの周方向に隙間が生じ得る。そのため、インナーハウジング及び露出する電線の端部の周囲を全周に亘ってシールドシェルで覆うことができない可能性が高く、十分なシールド性を確保できない虞がある。特に、シールドケーブルが高速通信用の通信線を有する場合、高速通信用の通信線は電磁波ノイズの影響を受け易いため、シールドコネクタにおけるシールド性が低いと、通信品質の低下の原因となる。
【０００８】
また、特許文献１に記載のシールドコネクタでは、インナーハウジングをシールドシェルのベースに固定するために、ベースの側板部を切り欠いて係合突起を形成している。そのため、シールドシェルにおいて、この切欠部分が開口になるため、シールドシェルの周方向に隙間が生じ、シールド性の低下を招く。
【０００９】
本発明は上記事情に鑑みてなされたもので、本発明の目的の一つは、シールド性に優れるシールドコネクタ、及びこのシールドコネクタを備えるコネクタ付きシールドケーブルを提供することにある。
【課題を解決するための手段】
【００１０】
本発明の一態様に係るシールドコネクタは、少なくとも１本の通信線を含む電線と、前記電線の周囲を一括して被覆するシールド導体とを有するシールドケーブルの端部に接続される。前記シールドコネクタは、前記電線の導体端部に接続される端子を保持するインナーハウジングと、前記インナーハウジング及び前記シールドケーブルの端部を収容し、前記シールドケーブルの端部が挿入されるケーブル挿入部を有するシールドシェルとを備える。前記インナーハウジングは、側面から突出する凸部を有する。前記シールドシェルは、前記インナーハウジングが配置されるベースと、前記ベースに嵌合されるカバーとを有する。前記ベースは、前記インナーハウジングの下面を覆い、前記ケーブル挿入部に向かって延伸される底板部と、前記インナーハウジングの両側面を覆うように前記底板部の両側から立設し、前記ケーブル挿入部に向かって一連に形成される一対のベース側板部と、前記ベース側板部に形成され、前記インナーハウジングの前記凸部が係合される係合孔とを有する。前記カバーは、前記インナーハウジングの上面を覆い、前記ケーブル挿入部に向かって延伸される上板部と、前記ベース側板部の外側に重複して前記係合孔を覆うように前記上板部の両側から立設し、前記ケーブル挿入部に向かって一連に形成される一対のカバー側板部とを有する。
【００１１】
本発明の一態様に係るコネクタ付きシールドケーブルは、少なくとも１本の通信線を含む電線と、前記電線の周囲を一括して被覆するシールド導体とを有するシールドケーブルと、前記シールドケーブルの端部に接続されるシールドコネクタとを備える。そして、前記シールドコネクタが、上記本発明の一態様に係るシールドコネクタである。
【発明の効果】
【００１２】
上記シールドコネクタは、シールド性に優れる。上記コネクタ付きシールドケーブルは、シールドコネクタにおけるシールド性が高い。
【図面の簡単な説明】
【００１３】
【図１】実施形態１のコネクタ付きシールドケーブルを前方から見た概略斜視図である。
【図２】実施形態１のコネクタ付きシールドケーブルの概略側面図である。
【図３】実施形態１のコネクタ付きシールドケーブルを後方から見た概略分解斜視図である。
【図４】実施形態１のコネクタ付きシールドケーブルを後方から見た別の概略分解斜視図である。
【図５】シールドケーブル端部の概略側面図である。
【図６】シールドケーブル端部における電線の配置を示す概略断面図である。
【図７】実施形態１のシールドコネクタの概略分解斜視図である。
【図８】実施形態１のシールドコネクタにおけるシールドシェルのカバーと、インナーハウジングが配置されたベースとを部分的に示す概略側面図である。
【図９】実施形態１のシールドコネクタにおけるシールドシェルのカバーと、インナーハウジングが配置されたベースとを部分的に示す概略平面図である。
【発明を実施するための形態】
【００１４】
［本発明の実施形態の説明］
最初に本発明の実施態様を列記して説明する。
【００１５】
（１）本発明の一態様に係るシールドコネクタは、少なくとも１本の通信線を含む電線と、前記電線の周囲を一括して被覆するシールド導体とを有するシールドケーブルの端部に接続される。前記シールドコネクタは、前記電線の導体端部に接続される端子を保持するインナーハウジングと、前記インナーハウジング及び前記シールドケーブルの端部を収容し、前記シールドケーブルの端部が挿入されるケーブル挿入部を有するシールドシェルとを備える。前記インナーハウジングは、側面から突出する凸部を有する。前記シールドシェルは、前記インナーハウジングが配置されるベースと、前記ベースに嵌合されるカバーとを有する。前記ベースは、前記インナーハウジングの下面を覆い、前記ケーブル挿入部に向かって延伸される底板部と、前記インナーハウジングの両側面を覆うように前記底板部の両側から立設し、前記ケーブル挿入部に向かって一連に形成される一対のベース側板部と、前記ベース側板部に形成され、前記インナーハウジングの前記凸部が係合される係合孔とを有する。前記カバーは、前記インナーハウジングの上面を覆い、前記ケーブル挿入部に向かって延伸される上板部と、前記ベース側板部の外側に重複して前記係合孔を覆うように前記上板部の両側から立設し、前記ケーブル挿入部に向かって一連に形成される一対のカバー側板部とを有する。
【００１６】
上記シールドコネクタによれば、シールドシェルを構成するベース及びカバーがそれぞれベース側板部及びカバー側板部を有し、カバー側板部がベース側板部に重複すると共に、ベース側板部の係合孔がカバー側板部により覆われる。また、ベース（底板部及びベース側板部）とカバー（上板部及びカバー側板部）とがそれぞれ、インナーハウジングからケーブル挿入部に向かって一連に形成されている。したがって、上記シールドコネクタは、シールドシェルの周方向に隙間が生じ難く、インナーハウジング及び露出する電線の端部の周囲を全周に亘ってシールドシェルで覆うことができる。よって、上記シールドコネクタは、電磁波ノイズの侵入や漏洩を効果的に抑制でき、シールド性に優れる。
【００１７】
また、上記シールドコネクタは、インナーハウジングの凸部とベース側板部の係合孔との係合により、インナーハウジングをベースに位置決めして固定できるので、組立性に優れる。
【００１８】
（２）上記シールドコネクタの一形態として、前記ベースが前記ベース側板部の外面から突出する突起を有し、前記カバーの前記カバー側板部に前記ベースの前記突起が嵌合される嵌合孔が形成されていることが挙げられる。
【００１９】
上記形態によれば、ベース側板部の突起とカバー側板部の嵌合孔との嵌合により、カバーをベースに位置決めして嵌合でき、シールドコネクタの組立性に優れる。また、ベース側板部に突起、カバー側板部に嵌合孔を設けることで、ベースとカバーとを嵌合させてシールドシェルを組み立てるときに、突起と嵌合孔との嵌合状態をシールドシェルの外から目視で確認することができる。この点でも、シールドコネクタの組立性に優れる。
【００２０】
（３）上記シールドコネクタの一形態として、前記ベース及び前記カバーの一方の前記ケーブル挿入部に、前記シールドケーブル側に突出し、前記シールド導体の端部に圧着される圧着片を有するバレル部を有し、他方の前記ケーブル挿入部には、前記バレル部に対向するように形成され、前記圧着片で押さえられて前記シールド導体の端部に接する突出片を有することが挙げられる。
【００２１】
上記形態によれば、ベース及びカバーの一方のケーブル挿入部にバレル部を有し、圧着片がシールド導体の端部に圧着されることで、シールドシェルとシールド導体とを電気的に接続できる。また、圧着片がシールド導体の端部に圧着されることで、シールドケーブルの端部にシールドシェルを強固に接続できる。更に、ベース及びカバーの他方に突出片を有し、圧着片をシールド導体の端部に圧着したときに突出片が圧着片で押さえられる。これにより、圧着片を圧着したときに締め付け力の集中を分散でき、圧着によるシールド導体の端部の過度の変形を防止できながら、シールドケーブルの端部にシールドコネクタをより強固に接続できる。したがって、上記形態は、シールドケーブルの引抜強度を十分に確保できる。
【００２２】
（４）上記シールドコネクタの一形態として、前記カバーが、前記カバー側板部の内面から突出し、上下方向に延びる突条部を有し、前記インナーハウジングの側面に前記カバーの前記突条部が挿入される縦溝が形成されていることが挙げられる。
【００２３】
上記形態によれば、カバー側板部の突条部がインナーハウジングの縦溝に挿入されることで、インナーハウジングに対してカバーを位置決めでき、インナーハウジングとシールドシェル（ベース及びカバー）との位置決めをより高精度に行うことができる。
【００２４】
（５）本発明の一態様に係るコネクタ付きシールドケーブルは、少なくとも１本の通信線を含む電線と、前記電線の周囲を一括して被覆するシールド導体とを有するシールドケーブルと、前記シールドケーブルの端部に接続されるシールドコネクタとを備える。そして、前記シールドコネクタが、上記（１）〜（４）のいずれか１つに記載のシールドコネクタである。
【００２５】
上記コネクタ付きシールドケーブルによれば、本発明の一態様に係るシールドコネクタを備えることで、シールドケーブルの端部において、インナーハウジング及び露出する電線の端部を全周に亘ってシールドシェルで覆うことができる。よって、上記コネクタ付きシールドケーブルは、シールドコネクタでの電磁波ノイズの侵入や漏洩を効果的に抑制でき、シールドコネクタにおけるシールド性が高い。
【００２６】
［本発明の実施形態の詳細］
本発明の実施形態に係るシールドコネクタ及びコネクタ付きシールドケーブルの具体例を、以下に図面を参照しつつ説明する。図中の同一符号は同一名称物を示す。なお、本発明はこれらの例示に限定されるものではなく、特許請求の範囲によって示され、特許請求の範囲と均等の意味および範囲内でのすべての変更が含まれることが意図される。
【００２７】
［実施形態１］
＜コネクタ付きシールドケーブル＞
図１〜図９を参照して、実施形態１のシールドコネクタ及びコネクタ付きシールドケーブルの概要を説明する。実施形態１のコネクタ付きシールドケーブル１は、図１，図２に示すように、シールドケーブル１００と、シールドケーブル１００の端部に接続されるシールドコネクタ１０とを備える。実施形態１のシールドコネクタ１０は、図３，図４に示すように、インナーハウジング２０とシールドシェル４０とを備え、シールドシェル４０は、インナーハウジング２０が配置されるベース４１と、ベース４１に嵌合されるカバー５１とを有する。まず、シールドケーブル１００の構成を説明し、次いで、シールドコネクタ１０の構成について詳しく説明する。以下の説明では、シールドコネクタ１０のインナーハウジング２０側を前（正面）、シールドケーブル１００側を後とし、ベース４１（底板部４２）側を下、カバー５１（上板部５２）側を上として説明する。
【００２８】
＜シールドケーブル＞
シールドケーブル１００は、図３〜図５に示すように、複数の電線１１０と、これら電線１１０の周囲を一括して被覆するシールド導体１３０と、シールド導体１３０の外周を被覆するシース１４０とを有する。シールド導体１３０は、銅やアルミニウムといった導電性金属からなる編組線で形成され、シース１４０は、絶縁性の樹脂やゴムなどで形成されている。シールドケーブル１００の端部では、シース１４０が除去され、図５に示すようにシールド導体１３０の端部がシース１４０上に折り返され、シールド導体１３０から電線１１０の端部が露出している。複数の電線１１０の端部は撚り戻されて、図４に示すように並列に分岐されている。
【００２９】
シールドケーブル１００は、図６に示すように、１０本の電線１１０を有する。具体的には、高速通信用として、通信線１２１，１２２の対とドレイン線１２３とを２組（計６本）、低速通信用として、通信線１２４，１２５の対を１組（計２本）、並びに、電源線１２６（１本），グランド線１２７（１本）を有する。通信線１２１，１２２は、ＵＳＢ（Ｕｎｉｖｅｒｓａｌ  Ｓｅｒｉａｌ  Ｂｕｓ）３．０規格の通信線（最大通信速度：５Ｇｂｐｓ）であり、ドレイン線１２３付きの差動ペア・ケーブルである。通信線１２４，１２５は、ＵＳＢ２．０規格の通信線（最大通信速度：４８０Ｍｂｐｓ）であり、ツイストペア・ケーブルである。電線１１０のうち、ドレイン線１２３以外は、導体１１１の外周に絶縁被覆１１２（図５を参照）を有する。シールドケーブル１００の端部では、図６に示すように電線１１０の端部が上下に５本ずつ分かれて横並びに配置されており、図５に示すように電線１１０の先端で導体１１１の端部が露出している。図６は、インナーハウジング２０の後方から見た図である。
【００３０】
＜シールドコネクタ＞
（インナーハウジング）
インナーハウジング２０は、図４，図６に示すように電線１１０の導体１１１端部に接続される端子２２を保持する部材であり、絶縁性樹脂で形成されている。インナーハウジング２０は、図７に示すように、端子２２を収納する端子孔２３が形成された本体部２１と、電線１１０の導体１１１端部が配置される配置部３１とを有する。インナーハウジング２０の本体部２１には、上下に５個ずつ端子孔２３が並んで形成されており（図１を参照）、各端子孔２３に端子２２が挿入されて収納されている。配置部３１は、本体部２１の上下方向の中間位置から後方に向かって延出するように、本体部２１と一体に設けられている。配置部３１には、図６，図７に示すように、導体１１１端部を配置するための配置溝３２が形成されている。
【００３１】
〈端子〉
端子２２は、導電性金属からなるメス型端子であり、本体部２１の端子孔２３に収納される角筒状の部分と、その後方に一体に形成されて導体１１１端部と電気的に接続される板状の部分とを有する（図７を参照）。この板状部分は、配置部３１の配置溝３２に沿って配置される。導体１１１端部は、図４に示すように、端子２２の板状部分に載置され、半田付けにより電気的に接続される。インナーハウジング２０は、図３，図４に示すように電線１１０の導体１１１端部に端子２２が接続された状態で、後述するベース４１に配置される。
【００３２】
〈凸部・縦リブ・縦溝〉
インナーハウジング２０は、図７に示すように、本体部２１及び配置部３１の各側面から突出する凸部２５，３５を有する（図では、左側面のみ示しているが、反対側の右側面も同じである）。凸部２５，３５は、インナーハウジング２０の前後方向に並んで設けられており、それぞれ下方に向かってテーパ状に形成されている。凸部２５，３５は、後述するベース側板部４３に形成された係合孔４５，４６に係合される。また、インナーハウジング２０は、側面から突出して上下方向に延びる縦リブ２７を有し、縦リブ２７が凸部２５に隣接するように凸部２５と一体に設けられている。縦リブ２７は、後述するベース側板部４３に形成された縦孔４７に挿入される。
【００３３】
更に、インナーハウジング２０の側面には、図８，図９に示すように、上下方向に沿って縦溝２８が形成されている。図９の上図は、カバー５１を下から見た概略平面図であり、下図は、インナーハウジング２０が配置されたベース４１を上から見た概略平面図である。縦溝２８は、インナーハウジング２０の前方に設けられ、縦溝２８には、後述するカバー側板部５３に設けられた突条部５８が挿入される。
【００３４】
（シールドシェル）
シールドシェル４０は、図３，図４に示すようにインナーハウジング２０及びシールドケーブル１００の端部を収容する部材であり、導電性金属で形成されている。シールドシェル４０は、図３に示すように、前方から順にインナーハウジング２０を収容するハウジング収容部６１と、露出する電線１１０の端部を収容する電線収容部６２と、シールドケーブル１００の端部が挿入されるケーブル挿入部６３とを有する。ケーブル挿入部６３には、シールドケーブル１００の外径に対応した形状の開口が形成されている。シールドシェル４０は、インナーハウジング２０の下側に配置されるベース４１と、インナーハウジング２０の上側に配置され、ベース４１の上方から覆うように嵌合されるカバー５１とで構成されている。
【００３５】
（ベース）
ベース４１は、図７に示すように、インナーハウジング２０の下面を覆い、ケーブル挿入部６３に向かって延伸される底板部４２と、インナーハウジング２０の両側面を覆うように底板部４２の両側から立設する一対のベース側板部４３とを有する。ベース側板部４３は、ケーブル挿入部６３に向かって一連に形成されている。ベース４１は、金属製の板材を所定の形状に切断して折り曲げることにより形成されている。
【００３６】
〈係合孔・縦孔〉
ベース４１のベース側板部４３には、図７，図８に示すように、インナーハウジング２０の凸部２５，３５が係合される係合孔４５，４６が形成されている。更に、ベース側板部４３の上端縁から上下方向に沿って縦孔４７が係合孔４５に隣接するように形成され、係合孔４５と縦孔４７とが連通している。この縦孔４７には、インナーハウジング２０の縦リブ２７が挿入される。インナーハウジング２０をベース４１の上方から嵌め込むことで、インナーハウジング２０の凸部２５，３５及び縦リブ２７と、ベース側板部４３の係合孔４５，４６及び縦孔４７とがそれぞれ係合して、インナーハウジング２０がベース４１に位置決めして固定される。係合孔４５と縦孔４７とが連通しており、係合孔４５の上側に位置するベース側板部４３の部分（図８中、点線で囲む部分）は、片持ち支持された状態になっている。そのため、インナーハウジング２０をベース４１の上方から嵌め込んで、凸部２５を係合孔４５に係合する際、ベース側板部４３の上記部分が外側に開き易く、係合し易い。
【００３７】
〈突起〉
また、ベース４１は、図７〜図９に示すように、ベース側板部４３の外面から突出する突起４４を有する。突起４４は、後述するカバー側板部５３に形成された嵌合孔５４（図７，図８を参照）に嵌合される。この突起４４は、打ち出し（叩き出し）により形成され、下方に向かって膨出するようにドーム状に形成されている。突起４４の下方には外面との間に切れ目が形成されているが、図８に示すように、この切れ目はベース側板部４３の外面（ベース４１の側面）を平面視したときに実質的に見えない。つまり、突起４４の形成部分は、ベース側板部４３の外面に直交する方向に実質的に開口していない。
【００３８】
（カバー）
カバー５１は、図７に示すように、インナーハウジング２０の上面を覆い、ケーブル挿入部６３に向かって延伸される上板部５２と、ベース側板部４３の外側に重複するように上板部５２の両側から立設する一対のカバー側板部５３とを有する。カバー側板部５３は、ベース側板部４３の外側に重複して、ベース側板部４３の係合孔４５，４６及び縦孔４７を覆う（図２を参照）。カバー側板部５３は、ケーブル挿入部６３に向かって一連に形成されている。カバー５１は、ベース４１と同様に、金属製の板材を所定の形状に切断して折り曲げることにより形成されている。カバー５１は、図３に示すように、インナーハウジング２０及びシールドケーブル１００（電線１１０）の端部がベース４１に配置された状態で、ベース４１の上方から取り付けられる。
【００３９】
〈嵌合孔〉
カバー５１のカバー側板部５３には、図７，図８に示すように、ベース側板部４３の突起４４が嵌合される嵌合孔５４が形成されている。ベース４１にカバー５１を嵌合したとき（図２を参照）、ベース側板部４３の突起４４とカバー側板部５３の嵌合孔５４とが嵌合することで、カバー５１がベース４１に位置決めして嵌合される。
【００４０】
〈突条部〉
また、カバー５１は、図９に示すように、カバー側板部５３の内面から突出し、上下方向に伸びる突条部５８を有する。突条部５８は、カバー側板部５３の先端を内側に折り曲げることにより形成されている。この突条部５８をインナーハウジング２０に形成された縦溝２８に挿入することで、インナーハウジング２０に対してカバー５１が位置決めされる。
【００４１】
〈バレル部・突出片〉
シールドケーブル１００の端部は、図３に示すように、折り返されたシールド導体１３０の端部の一部がシールドシェル４０内に収容され、残部がケーブル挿入部６３から露出するように挿入される。ベース４１側のケーブル挿入部６３には、図３，図４に示すように、後方に突出するバレル部７０が一体に形成されている。バレル部７０は、Ｕ字状をなし、両端から延びる一対の圧着片７１，７２を有する。バレル部７０の上方からシールド導体１３０の端部を挿入し、圧着片７１，７２をカシメることで、シールド導体１３０の端部に圧着片７１，７２が圧着される（図１を参照）。バレル部７０は、圧着片７１，７２をカシメてシールド導体１３０の端部に圧着したとき、圧着片７１，７２が互いに噛み合って円筒状をなすように形成されている。具体的には、圧着片７１は、テーパ状の突片を有し、圧着片７２は、圧着片７１の突片が嵌合するＶ状の切欠を有する二股状の突片を有する。
【００４２】
更に、カバー５１側のケーブル挿入部６３には、図３に示すように、バレル部７０に対向するように後方に突出する突出片７５が一体に形成されている。突出片７５は、シールドケーブル１００の外周面に沿うように円弧状に形成されている。突出片７５は、圧着片７１，７２をカシメてバレル部７０を圧着したとき（図１を参照）、圧着片７１，７２の内側に位置して押さえ付けられ、シールド導体１３０の端部に接触する。バレル部７０がシールド導体１３０の端部に圧着されることで、バレル部７０（圧着片７１，７２）及び突出片７５がシールド導体１３０の端部に接触し、シールドシェル４０とシールド導体１３０とが電気的に接続される。
【００４３】
＜作用効果＞
実施形態１のシールドコネクタ１０及びコネクタ付きシールドケーブル１は、次の効果を奏する。
【００４４】
（１）シールドシェル４０を構成するベース４１及びカバー５１がそれぞれベース側板部４３及びカバー側板部５３を有し、カバー側板部５３がベース側板部４３に重複して、ベース側板部４３の係合孔４５，４６及び縦孔４７を覆う。また、ベース４１（底板部４２及びベース側板部４３）とカバー５１（上板部５２及びカバー側板部５３）がそれぞれ、ハウジング収容部６１からケーブル挿入部６３まで一連に形成されている。したがって、シールドコネクタ１０は、シールドシェル４０の周方向に隙間が生じ難く、インナーハウジング２０及び露出する電線１１０の端部の周囲を全周に亘ってシールドシェル４０で覆うことができる。よって、シールドコネクタ１０は、電磁波ノイズの侵入や漏洩を効果的に抑制でき、シールド性に優れる。また、コネクタ付きシールドケーブル１は、シールドコネクタ１０を備えることから、シールドコネクタ１０におけるシールド性が高く、通信品質の向上が可能である。特に、高速通信用の通信線１２１，１２２を有するシールドケーブルに適用した場合に、通信品質の向上が期待できる。
【００４５】
（２）インナーハウジング２０の凸部２５，３５とベース側板部４３の係合孔４５，４６との係合により、インナーハウジング２０をベース４１に位置決めして固定できるので、シールドコネクタ１０の組立性に優れる。また、凸部２５，３５と係合孔４５，４６との係合により、ベース４１に対するインナーハウジング２０の上下方向の移動や、インナーハウジング２０の傾きを抑制できる。更に、インナーハウジング２０の縦リブ２７がベース側板部４３の縦孔４７に挿入されることで、ベース４１に対するインナーハウジング２０の前後方向の移動、並びにインナーハウジング２０の傾きを効果的に規制できる。シールドシェル４０に対するインナーハウジング２０の動きを規制することで、インナーハウジング２０とシールドシェル４０との間のインピーダンスに変化が生じ難い。したがって、シールドコネクタ１０でのインピーダンスの不整合による通信品質の低下を効果的に抑制できる。
【００４６】
（３）ベース側板部４３の突起４４とカバー側板部５３の嵌合孔５４との嵌合により、カバー５１をベース４１に位置決めして固定できるので、シールドコネクタ１０の組立性に優れる。突起４４が打ち出し（叩き出し）で形成されていることで、突起４４の形成部分がベース側板部４３の外面に直交する方向に実質的に開口しておらず、シールドシェル４０の周方向に隙間を生じさせないようにすることができる。また、ベース側板部４３に突起４４、カバー側板部５３に嵌合孔５４を設けることで、ベース４１とカバー５１とを嵌合させてシールドシェル４０を組み立てるときに、突起４４と嵌合孔５４との嵌合状態をシールドシェル４０の外から目視で確認することができる。この点でも、シールドコネクタ１０の組立性に優れる。
【００４７】
（４）カバー側板部５３の突条部５８がインナーハウジング２０の縦溝２８に挿入されることで、インナーハウジング２０に対してカバー５１を位置決めできる。これにより、インナーハウジング２０とシールドシェル４０（ベース４１及びカバー５１）の位置決めをより高精度に行うことができる。
【００４８】
（５）バレル部７０の圧着片７１，７２がシールド導体１３０の端部に圧着されることで、シールドシェル４０とシールド導体１３０とを電気的に接続できる。また、シールドケーブル１００の端部にシールドシェル４０（シールドコネクタ１０）を強固に接続でき、シールドシェル４０の前後方向の移動を規制できる。更に、バレル部７０に対向するように突出片７５を有することで、圧着片７１，７２を圧着したときに締め付け力の集中を分散でき、圧着によるシールド導体１３０の端部の過度の変形を防止できながら、シールドコネクタ１０をより強固に接続できる。したがって、シールドケーブル１００の引抜強度を十分に確保できる。
【産業上の利用可能性】
【００４９】
本発明のシールドコネクタ及びコネクタ付きシールドケーブルは、高速通信用のシールドケーブルに好適に利用可能である。
【符号の説明】
【００５０】
１  コネクタ付きシールドケーブル
１０  シールドコネクタ
２０  インナーハウジング
２１  本体部
２２  端子    ２３  端子孔
２５  凸部    ２７  縦リブ    ２８  縦溝
３１  配置部    ３２  配置溝
３５  凸部
４０  シールドシェル
４１  ベース
４２  底板部    ４３  ベース側板部
４４  突起
４５，４６  係合孔    ４７  縦孔
５１  カバー
５２  上板部    ５３  カバー側板部
５４  嵌合孔    ５８  突条部
６１  ハウジング収容部    ６２  電線収容部
６３  ケーブル挿入部
７０  バレル部    ７１，７２  圧着片
７５  突出片
１００  シールドケーブル
１１０  電線
１１１  導体    １１２  絶縁被覆
１２１，１２２  通信線    １２３  ドレイン線
１２４，１２５  通信線
１２６  電源線    １２７  グランド線
１３０  シールド導体    １４０  シース
【図１】
2019175865.tif 000003
【図２】
2019175865.tif 000004
【図３】
2019175865.tif 000005
【図４】
2019175865.tif 000006
【図５】
2019175865.tif 000007
【図６】
2019175865.tif 000008
【図７】
2019175865.tif 000009
【図８】
2019175865.tif 000010
【図９】
2019175865.tif 000011
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
少なくとも１本の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容し、前記シールドケーブルの端部が挿入されるケーブル挿入部を有するシールドシェルと、を備え、
前記インナーハウジングは、
前記端子を収納する本体部と、前記電線の導体端部が配置される配置部とを有し、
前記本体部及び前記配置部の各側面から突出する凸部を有しており、
前記シールドシェルは、前記インナーハウジングが配置されるベースと、前記ベースに嵌合されるカバーとを有し、
前記ベースは、
前記インナーハウジングの下面を覆い、前記ケーブル挿入部に向かって延伸される底板部と、
前記インナーハウジングの両側面を覆うように前記底板部の両側から立設し、前記ケーブル挿入部に向かって一連に形成される一対のベース側板部と、
前記ベース側板部に形成され、前記インナーハウジングのそれぞれの前記凸部が係合される係合孔と、を有し、
前記カバーは、
前記インナーハウジングの上面を覆い、前記ケーブル挿入部に向かって延伸される上板部と、
前記ベース側板部の外側に重複して前記係合孔を覆うように前記上板部の両側から立設し、前記ケーブル挿入部に向かって一連に形成される一対のカバー側板部と、を有するシールドコネクタ。
【請求項２】
前記インナーハウジングにおけるそれぞれの前記凸部は、下方に向かってテーパ状に形成されている請求項１に記載のシールドコネクタ。
【請求項３】
前記ベースが前記ベース側板部の外面から突出する突起を有し、
前記カバーの前記カバー側板部に前記ベースの前記突起が嵌合される嵌合孔が形成されており、
前記突起は、下方に向かって膨出するようにドーム状に形成され、前記突起の下方に前記ベース側板部の外面との間に切れ目を有する請求項１又は請求項２に記載のシールドコネクタ。
【請求項４】
前記カバーが、前記カバー側板部の内面から突出し、上下方向に延びる突条部を有し、
前記インナーハウジングの側面に前記カバーの前記突条部が挿入される縦溝が形成されている請求項１から請求項３のいずれか１項に記載のシールドコネクタ。
【請求項５】
少なくとも１本の通信線を含む電線と、前記電線の周囲を一括して被覆するシールド導体とを有するシールドケーブルと、前記シールドケーブルの端部に接続されるシールドコネクタとを備えるコネクタ付きシールドケーブルであって、
前記シールドコネクタが、請求項１から請求項４のいずれか１項に記載のシールドコネクタであるコネクタ付きシールドケーブル。